(57)【要約】【課題】金属製の内側ホイール素子に対する合成樹脂製の外側ホイール素子の保持力を確保しつつ、この外側ホイールの外周面に設けられるウォームホイール歯部の製造誤差を抑えられる構造を実現する。【解決手段】内側ホイール素子１５ａの軸方向片側面に設けられた第一環状凹部２２の内面を構成する外径側周面に、円周方向に関する凹凸部２３を設ける。内側ホイール素子１５ａの外周面を、円筒面部２４とする。内側ホイール素子１５ａの径方向外端部及び中間部を外側ホイール素子１６ａに包埋すると共に、この外側ホイール素子１６ａを構成する合成樹脂の一部を、凹凸部２３を構成する複数の凹部に入り込ませる。外側ホイール素子１６ａの外周面に設けたウォームホイール歯部１９ａの歯先円の直径及び歯底円の直径を、それぞれ軸方向に関して変化させない。【選択図】図２
2018204660.tif 000002
【特許請求の範囲】
【請求項１】
内側ホイール素子と、外側ホイール素子とを備え、
前記内側ホイール素子は、金属により円環状に造られたもので、軸方向片側面に全周に亙り軸方向に凹む状態で設けられた第一環状凹部と、この第一環状凹部の内面を構成する外径側周面に設けられた円周方向に関する凹凸部とを備えると共に、外周面が軸方向に関して直径が変化しない円筒面部になっており、
前記外側ホイール素子は、合成樹脂製であって、前記内側ホイール素子の表面のうち、前記第一環状凹部の内面を構成する内径側周面から、前記内側ホイール素子の外周面を経て、この内側ホイール素子の軸方向他側面の径方向内端寄り部分に至るまでの連続した範囲を全周に亙り覆う様に、前記内側ホイール素子を包埋していると共に、前記合成樹脂の一部が前記凹凸部を構成する凹部に入り込んでおり、且つ、外周面にウォームホイール歯部を有すると共に、このウォームホイール歯部のうち、少なくとも前記内側ホイール素子の外周面である円筒面部と径方向に重畳する部分の歯先円の直径及び歯底円の直径が、それぞれ軸方向に関して変化していない
ウォームホイール。
【請求項２】
前記内側ホイール素子の軸方向他側面に全周に亙り軸方向に凹む状態で第二環状凹部が設けられており、
前記外側ホイール素子は、前記内側ホイール素子の表面のうち、前記第一環状凹部の内面を構成する内径側周面から、前記内側ホイール素子の外周面を経て、前記第二環状凹部の内面を構成する内径側周面に至るまでの連続した範囲を全周に亙り覆う様に、前記内側ホイール素子を包埋している
請求項１に記載したウォームホイール。
【請求項３】
前記第二環状凹部の内面を構成する外径側周面と内径側周面とのうち、少なくとも一方の周面に、前記内側ホイール素子の中心軸に対し、軸方向他側に向かうに従って前記第二環状凹部の径方向に関する幅寸法が大きくなる方向に傾斜した傾斜面部が設けられている
請求項２に記載したウォームホイール。
【請求項４】
前記第二環状凹部の内面を構成する外径側周面に、前記傾斜面部と、前記内側ホイール素子の中心軸に対して傾斜しない非傾斜面部との、双方が設けられている
請求項３に記載したウォームホイール。
【請求項５】
前記第二環状凹部の内面を構成する内径側周面に、前記傾斜面部と、前記内側ホイール素子の中心軸に対して傾斜しない非傾斜面部との、双方が設けられている
請求項３〜４のうちの何れか１項に記載したウォームホイール。
【請求項６】
前記外側ホイール素子の軸方向他側面の径方向内端部に、径方向外側に隣接する部分よりも軸方向他側に張り出した張出部が設けられている
請求項１〜５のうちの何れか１項に記載したウォーム減速機。
【請求項７】
ハウジングと、
前記ハウジングに対し回転自在に支持された回転軸と、
外周面にウォームホイール歯部を有し、前記回転軸に外嵌固定されたウォームホイールと、
外周面の軸方向中間部にウォーム歯部を有し、このウォーム歯部を前記ウォームホイール歯部に噛合させた状態で、前記ハウジングに対し回転自在に支持されたウォーム軸と、を備えたウォーム減速機であって、
前記ウォームホイールが請求項１〜６のうちの何れか１項に記載したウォームホイールである事を特徴とするウォーム減速機。
【請求項８】
前記ウォームホイールの軸方向他側に隣り合う部分に、内輪と外輪とこれら内輪の外周面と外輪の内周面との間に設けられた複数個の転動体とを備えた、前記回転軸を前記ハウジングに対して回転可能に支持する為の転がり軸受が設置されており、
前記ウォームホイールを構成する前記外側ホイール素子の軸方向他側面は、前記内輪の軸方向片側面及び前記外輪の軸方向片側面と軸方向に対向しており、
前記外側ホイール素子の軸方向他側面と前記内輪の軸方向片側面との間の軸方向距離が、前記外側ホイール素子の軸方向他側面と前記外輪の軸方向片側面との間の軸方向距離よりも小さくなっている
請求項７に記載したウォーム減速機。
【請求項９】
前記ウォームホイールが、請求項６に記載したウォームホイールであり、
前記張出部の軸方向他側面が、前記内輪の軸方向片側面と軸方向に対向している
請求項８に記載したウォーム減速機。
【請求項１０】
請求項１〜６のうちの何れか１項に記載したウォームホイールの製造方法であって、
前記外側ホイール素子を射出成形により造るのと同時に、この外側ホイール素子を前記内側ホイール素子に対して結合する、インサート成形を実施する際に、前記外側ホイール素子の軸方向他側の径方向内端部にディスクゲートの径方向外端部を位置させる事を特徴とする
ウォームホイールの製造方法。
【発明の詳細な説明】
【技術分野】
【０００１】
本発明は、金属製部分と合成樹脂製部分とを組み合わせて成るウォームホイールと、このウォームホイールを含んで構成されるウォーム減速機と、このウォームホイールの製造方法とに関する。
【背景技術】
【０００２】
図１０〜１５は、特許文献１等に記載されて従来から知られている電動式パワーステアリング装置の１例を示している。後端部にステアリングホイール１を取り付けられたステアリングシャフト２の前端部は、ハウジング３内に回転自在に支持されており、このステアリングシャフト２により回転駆動される部分にウォームホイール４が固定されている。一方、電動モータ５の出力軸にはウォーム軸６が連結されている。そして、このウォーム軸６の軸方向中間部外周面に設けられたウォーム歯部１８と、前記ウォームホイール４の外周面に設けられたウォームホイール歯部１９とを噛合させる事により、前記電動モータ５から前記ウォームホイール４に対して、所定方向に所定の大きさの補助トルク（補助動力）を付与する事が可能となっている。
【０００３】
前記ウォームホイール４は、補助トルクの出力部となる出力軸７の軸方向中間部に外嵌固定されており、この出力軸７と共に回転する。この出力軸７は、前記ハウジング３内に、軸方向中間部の両端寄り部分を１対の転がり軸受８ａ、８ｂにより回転のみ可能に支持された状態で、トーションバー９を介して、前記ステアリングシャフト２の前端部に結合されている。前記電動モータ５は、トルクセンサ１０が検出する、前記ステアリングホイール１から前記ステアリングシャフト２に加えられる操舵トルクの方向及び大きさに応じて前記ウォーム軸６を回転駆動し、前記出力軸７に補助トルクを付与する。この出力軸７の回転は、１対の自在継手１１ａ、１１ｂ及び中間シャフト１２を介して、ステアリングギヤユニット１３の入力部となるピニオン軸１４に伝達され、操舵輪に所望の舵角が付与される。
【０００４】
又、図示の例の場合、前記ウォームホイール４は、金属製の内側ホイール素子１５と、合成樹脂製の外側ホイール素子１６とを組み合わせて成る。即ち、前記ウォームホイール４は、前記出力軸７に外嵌固定される部分を、金属製で円輪状の前記内側ホイール素子１５とし、前記ウォームホイール歯部１９を含む部分を、合成樹脂製の前記外側ホイール素子１６としている。そして、この様に外側ホイール素子１６を合成樹脂製とする事により、前記ウォームホイール４の外周面にウォームホイール歯部１９を形成する作業の容易化（低コスト化）、及び、前記ウォーム軸６のウォーム歯部１８と前記ウォームホイール４のウォームホイール歯部１９との噛合部で発生する歯打ち音の低減を図れる様にしている。
【０００５】
又、前記外側ホイール素子１６は、合成樹脂製であり、射出成形に伴って（インサート成形により）、前記内側ホイール素子１５の径方向外端部を全周に亙り包埋している。又、前記内側ホイール素子１５の外周面には、円周方向に関する（歯車状の）凹凸部１７が設けられており、この凹凸部１７を構成する複数の凹部に前記外側ホイール素子１６を構成する合成樹脂の一部を入り込ませる事で、前記内側ホイール素子１５に対する前記外側ホイール素子１６の回転方向の保持力を高めている。
【０００６】
上述した様な従来構造の場合には、前記外側ホイール素子１６の外周面に設けられたウォームホイール歯部１９の製造誤差を低減する面から、改良の余地がある。
即ち、上述した従来構造の場合には、前記内側ホイール素子１５の外周面に円周方向に関する凹凸部１７を設けると共に、この凹凸部１７を構成する複数の凹部に前記外側ホイール素子１６を構成する合成樹脂の一部を入り込ませている。この為、前記外側ホイール素子１６のうち、前記凹凸部１７に対して径方向外側に重畳する部分の径方向の肉厚は、前記ウォームホイール歯部１９を構成する複数の歯２０、２０が位置する部分ごとに、互いに異なった大きさになる場合がある（図１４〜１５参照）。この様な場合には、これら複数の歯２０、２０が位置する部分ごとに、射出成形時の成形収縮量が異なる｛径方向の肉厚が大きい部分（例えば図１５のα部）で大きくなり、径方向の肉厚が小さい部分（例えば図１５のβ部）で小さくなる｝為、成形後の前記複数の歯２０、２０の大きさに差が生じ、この事に起因して、前記ウォームホイール歯部１９にピッチ誤差等の製造誤差が生じる可能性がある。
【先行技術文献】
【特許文献】
【０００７】
【特許文献１】特表２０１３−０８４６１３号公報
【発明の概要】
【発明が解決しようとする課題】
【０００８】
本発明は、上述の様な事情に鑑み、金属製の内側ホイール素子に対する合成樹脂製の外側ホイール素子の保持力を確保しつつ、この外側ホイール素子の外周面に設けられるウォームホイール歯部の製造誤差を抑えられる構造及び製造方法を実現すべく発明したものである。
【課題を解決するための手段】
【０００９】
本発明のウォームホイールは、内側ホイール素子と、外側ホイール素子とを備える。
前記内側ホイール素子は、金属により円環状に造られたもので、軸方向片側面に全周に亙り軸方向に凹む状態で設けられた第一環状凹部と、この第一環状凹部の内面を構成する外径側周面に設けられた円周方向に関する凹凸部とを備えると共に、外周面が軸方向に関して直径が変化しない円筒面部になっている。
又、前記外側ホイール素子は、合成樹脂製であって、前記内側ホイール素子の表面のうち、前記第一環状凹部の内面を構成する内径側周面から、前記内側ホイール素子の外周面を経て、この内側ホイール素子の軸方向他側面の径方向内端寄り部分に至るまでの連続した範囲を全周に亙り覆う様に、前記内側ホイール素子を包埋していると共に、前記合成樹脂の一部が前記凹凸部を構成する凹部に入り込んでいる。又、前記外側ホイール素子は、外周面にウォームホイール歯部を有すると共に、このウォームホイール歯部のうち、少なくとも前記内側ホイール素子の外周面である円筒面部と径方向に重畳する部分の歯先円の直径及び歯底円の直径が、それぞれ軸方向に関して変化していない。
【００１０】
本発明のウォームホイールを実施する場合には、例えば、請求項２に記載した発明の様に、前記内側ホイール素子の軸方向他側面に全周に亙り軸方向に凹む状態で第二環状凹部が設けられており、且つ、前記外側ホイール素子は、前記内側ホイール素子の表面のうち、前記第一環状凹部の内面を構成する内径側周面から、前記内側ホイール素子の外周面を経て、前記第二環状凹部の内面を構成する内径側周面に至るまでの連続した範囲を全周に亙り覆う様に、前記内側ホイール素子を包埋している構成を採用する事ができる。
【００１１】
上述の様な請求項２に記載した発明を実施する場合には、例えば、請求項３に記載した発明の様に、前記第二環状凹部の内面を構成する外径側周面と内径側周面とのうち、少なくとも一方の周面に、前記内側ホイール素子の中心軸に対し、軸方向他側に向かうに従って前記第二環状凹部の径方向に関する幅寸法が大きくなる方向に傾斜した傾斜面部が設けられている構成を採用する事ができる。
【００１２】
上述の様な請求項３に記載した発明を実施する場合には、例えば、請求項４に記載した発明の様に、前記第二環状凹部の内面を構成する外径側周面に、前記傾斜面部と、前記内側ホイール素子の中心軸に対して傾斜しない非傾斜面部との、双方が設けられている構成を採用する事ができる。
【００１３】
上述の様な請求項３〜４に記載した発明を実施する場合には、例えば、請求項５に記載した発明の様に、前記第二環状凹部の内面を構成する内径側周面に、前記傾斜面部と、前記内側ホイール素子の中心軸に対して傾斜しない非傾斜面部との、双方が設けられている構成を採用する事ができる。
【００１４】
本発明のウォームホイールを実施する場合には、例えば、請求項６に記載した発明の様に、前記外側ホイール素子の軸方向他側面の径方向内端部（例えば、この外側ホイール素子の軸方向他側面のうち、前記第二環状凹部の径方向内端部と同じ径方向位置）に、径方向外側に隣接する部分よりも軸方向他側に張り出した張出部が設けられている構成を採用する事ができる。
【００１５】
本発明のウォームホイールを実施する場合には、例えば、前記凹凸部が前記第一環状凹部の内面を構成する外径側周面の軸方向全長に亙り形成されており、前記合成樹脂の一部が前記凹凸部を構成する凹部の全体に入り込んでいる構成を採用する事ができる。
【００１６】
本発明のウォームホイールを実施する場合には、例えば、前記内側ホイール素子の外周面である円筒面部の軸方向両端縁に対して（直接又は面取り部を介して）連続する部分である、前記内側ホイール素子の軸方向両側面の径方向外端部が、それぞれ前記内側ホイール素子の中心軸に対して直交する平面部になっている構成を採用する事ができる。これにより、前記内側ホイール素子の外周面である円筒面部の軸方向両端縁を、それぞれ円周方向に関して軸方向位置が変化しない円形状とする事ができる。
【００１７】
又、本発明を実施する場合には、例えば、前記凹凸部を構成する複数ずつの凹部及び凸部が、前記ウォームホイールの軸方向と平行に形成されている構成を採用する事ができる。
又は、前記ウォームホイール歯部を構成する複数の歯が、前記ウォームホイールの軸方向に対して所定方向に傾斜した方向に形成されていると共に、前記凹凸部を構成する複数ずつの凹部及び凸部が、前記ウォームホイールの軸方向に対して前記所定方向と反対方向に傾斜した方向に形成されている構成を採用する事ができる。
【００１８】
本発明のウォーム減速機は、ハウジングと、回転軸と、ウォームホイールと、ウォーム軸とを備える。
このうちの回転軸は、前記ハウジングに対し回転自在に支持されている。
又、前記ウォームホイールは、外周面にウォームホイール歯部を有し、前記回転軸に外嵌固定されている。
又、前記ウォーム軸は、外周面の軸方向中間部にウォーム歯部を有し、このウォーム歯部を前記ウォームホイール歯部に噛合させた状態で、前記ハウジングに対し回転自在に支持されている。
特に、本発明のウォーム減速機の場合には、前記ウォームホイールが、本発明のウォームホイールである。
【００１９】
本発明のウォーム減速機を実施する場合には、例えば、請求項８に記載した発明の様に、前記ウォームホイールの軸方向他側に隣り合う部分に、内輪と外輪とこれら内輪の外周面と外輪の内周面との間に設けられた複数個の転動体とを備えた、前記回転軸を前記ハウジングに対して回転可能に支持する為の転がり軸受を設置する事ができる。
又、前記ウォームホイールを構成する前記外側ホイール素子の軸方向他側面を、前記内輪の軸方向片側面及び前記外輪の軸方向片側面と軸方向に対向させる事ができる。
又、前記外側ホイール素子の軸方向他側面と前記内輪の軸方向片側面との間の軸方向距離を、前記外側ホイール素子の軸方向他側面と前記外輪の軸方向片側面との間の軸方向距離よりも小さくする事ができる。
【００２０】
上述の請求項８に記載した発明を実施する場合には、例えば、請求項９に記載した発明の様に、前記ウォームホイールを、請求項６に記載したウォームホイールとし、且つ、前記張出部の軸方向他側面を、前記内輪の軸方向片側面と軸方向に対向させる事ができる。
別な言い方をすれば、上述の請求項８に記載した発明を実施する場合には、前記外側ホイール素子の軸方向他側面のうち、前記内輪の軸方向片側面と軸方向に対向する部分に、前記外輪の軸方向片側面と軸方向に対向する部分よりも軸方向他側に張り出した張出部を設ける事ができる。
【００２１】
本発明のウォームホイールの製造方法は、本発明のウォームホイールを対象とする製造方法である。
この様な本発明のウォームホイールの製造方法は、前記外側ホイール素子を射出成形により造るのと同時に、この外側ホイール素子を前記内側ホイール素子に対して結合する、インサート成形を実施する際に、前記外側ホイール素子の軸方向他側の径方向内端部に、ディスクゲートの径方向外端部を位置させる事を特徴とする。
【発明の効果】
【００２２】
上述の様な本発明のウォームホイール、ウォーム減速機、及びウォームホイールの製造方法によれば、金属製の内側ホイール素子に対する合成樹脂製の外側ホイール素子の保持力を確保しつつ、この外側ホイール素子の外周面に設けられるウォームホイール歯部の製造誤差を抑えられる。
【図面の簡単な説明】
【００２３】
【図１】本発明の実施の形態の第１例に関する、図１２と同様の断面図。
【図２】同じく、ウォームホイールの断面図。
【図３】同じく、一部を切断した状態で示すウォームホイールの半部断面図。
【図４】同じく、図２のＡ−Ａ断面図。
【図５】同じく、図４のＢ部拡大図。
【図６】同じく、外側ホイール素子を射出成形する状態を示す断面図。
【図７】本発明の実施の形態の第２例に関する、ウォームホイールの断面図。
【図８】本発明の実施の形態の第３例に関する、ウォームホイールの断面図。
【図９】本発明の実施の形態の第４例に関する、一部を切断した状態で示すウォームホイールの半部断面図。
【図１０】電動式パワーステアリング装置の従来構造の１例を示す、部分切断側面図。
【図１１】図１０の拡大Ｃ−Ｃ断面図。
【図１２】図１０の拡大Ｄ−Ｄ断面図。
【図１３】ウォームホイールの断面図。
【図１４】図１３のＥ−Ｅ断面図。
【図１５】図１４のＦ部拡大図。
【図１６】本発明の実施の形態の変形例に関する、図７と同様の断面図。
【発明を実施するための形態】
【００２４】
［実施の形態の第１例］
本発明の実施の形態の第１例に就いて、図１〜６により説明する。
図１は、本例のウォーム減速機を組み込んだ電動式パワーステアリング装置を示している。後端部にステアリングホイール１（図１０参照）を取り付けられたステアリングシャフト２の前端部は、ハウジング３内に回転自在に支持されており、このステアリングシャフト２により回転駆動される部分にウォームホイール４ａが固定されている。一方、電動モータ５の出力軸にはウォーム軸６（図１１参照）が連結されている。そして、このウォーム軸６の軸方向中間部外周面に設けられたウォーム歯部１８と、前記ウォームホイール４ａの外周面に設けられたウォームホイール歯部１９ａとを噛合させる事により、前記電動モータ５から前記ウォームホイール４ａに対して、所定方向に所定の大きさの補助トルク（補助動力）を付与する事が可能となっている。
【００２５】
前記ウォームホイール４ａは、特許請求の範囲に記載した回転軸に相当する、補助トルクの出力部となる出力軸７の軸方向中間部に外嵌固定されており、この出力軸７と共に回転する。この出力軸７は、前記ハウジング３内に、軸方向中間部の両端寄り部分を１対の転がり軸受８ａ、８ｂにより回転のみ可能に支持された状態で、トーションバー９を介して、前記ステアリングシャフト２の前端部に結合されている。前記電動モータ５は、トルクセンサ１０が検出する、前記ステアリングホイール１から前記ステアリングシャフト２に加えられる操舵トルクの方向及び大きさに応じて前記ウォーム軸６を回転駆動し、前記出力軸７に補助トルクを付与する。この出力軸７の回転は、１対の自在継手１１ａ、１１ｂ及び中間シャフト１２を介して、ステアリングギヤユニット１３の入力部となるピニオン軸１４（図１０参照）に伝達され、操舵輪に所望の舵角が付与される。
【００２６】
尚、図示の例の場合、前記１対の転がり軸受８ａ、８ｂはそれぞれ、前記出力軸７に外嵌支持された内輪３３ａ、３３ｂと、前記ハウジング３に内嵌支持された外輪３４ａ、３４ｂと、これら内輪３３ａ、３３ｂの外周面に設けられた内輪軌道と外輪３４ａ、３４ｂの内周面に設けられた外輪軌道との間に転動自在に設けられた、それぞれが転動体である複数個の玉３５ａ、３５ｂとを備えた、玉軸受である。但し、本発明を実施する場合には、前記１対の転がり軸受８ａ、８ｂとして、円筒ころ軸受や円すいころ軸受等の他の種類の転がり軸受を採用する事もできる。
【００２７】
前記ウォームホイール４ａは、内側ホイール素子１５ａと、外側ホイール素子１６ａとを組み合わせて成る。
前記内側ホイール素子１５ａは、金属により円環状（略円輪状）に造られたもので、径方向中央部に、前記出力軸７の軸方向中間部をトルク伝達を可能に内嵌固定する為の嵌合孔２１を有している。
【００２８】
又、前記内側ホイール素子１５ａの軸方向片側面（図１〜３及び図６に於ける左側面）には、全周に亙り、軸方向に凹む状態で第一環状凹部２２が設けられている。
この第一環状凹部２２の内面を構成する内径側周面と外径側周面と底面（軸方向片側面）とのうち、外径側周面には、この外径側周面の軸方向の全長及び全周に亙り、円周方向に関して凹部２６と凸部２７とを交互に（図示の例では等ピッチに）配置して成る、円周方向に関する（歯車状の）凹凸部２３が設けられている。本例の場合、この凹凸部２３を構成する複数ずつの凹部２６及び凸部２７（別な言い方をすれば、これら凹部２６と凸部２７との境界）は、図３に於ける上半部に破線（隠れ線）で示す様に、前記内側ホイール素子１５ａ（前記ウォームホイール４ａ）の軸方向（図１〜３及び図６に於ける左右方向）に対して平行に形成されている。
又、前記第一環状凹部２２の内面を構成する内径側周面は、単なる円筒面状の円筒面部３６になっている。
又、前記第一環状凹部２２の内面を構成する底面は、前記内側ホイール素子１５ａの中心軸に対して直交する円輪状の平面部３７ａになっている。
【００２９】
又、前記内側ホイール素子１５ａの軸方向他側面（図１〜３及び図６に於ける右側面）には、全周に亙り、軸方向に凹む状態で第二環状凹部３８が設けられている。
この第二環状凹部３８の内面を構成する内径側周面と外径側周面と底面（軸方向他側面）とのうち、外径側周面は、軸方向に関して、片側（片端部及び中間部）に設けられた外径側傾斜面部３９と、他側（他端部）に設けられた外径側円筒面部４０との、互いの軸方向端縁同士を連続させて成る。このうちの外径側傾斜面部３９は、特許請求の範囲に記載した傾斜面部に相当する部位であり、前記内側ホイール素子１５ａの中心軸に対し、軸方向他側に向かうに従って前記第二環状凹部３８の径方向に関する幅寸法が大きくなる方向（径方向外側に向かう方向）に傾斜した、部分円すい面状に形成されている。これに対し、前記外径側円筒面部４０は、特許請求の範囲に記載した非傾斜面部に相当する部位であり、前記内側ホイール素子１５ａの中心軸に対して傾斜しない、単なる円筒面状に形成されている。
又、前記第二環状凹部３８の内面を構成する内径側周面は、内径側傾斜面部４１のみから成る。この内径側傾斜面部４１は、特許請求の範囲に記載した傾斜面部に相当する部位であり、前記内側ホイール素子１５ａの中心軸に対し、軸方向他側に向かうに従って前記第二環状凹部３８の径方向に関する幅寸法が大きくなる方向（径方向内側に向かう方向）に傾斜した、部分円すい面状に形成されている。
又、前記第二環状凹部３８の内面を構成する底面は、前記内側ホイール素子１５ａの中心軸に対して直交する円輪状の平面部３７ｂになっている。
【００３０】
又、前記内側ホイール素子１５ａの外周面（軸方向両端縁部に面取り部が設けられる場合には、これらの面取り部を除いた部分）は、前記内側ホイール素子１５ａ（前記ウォームホイール４ａ）の中心軸と平行な母線を有し、軸方向に関して直径が変化しない単一円筒面状の円筒面部２４になっている。又、この円筒面部２４の軸方向両端縁に対して（直接又は前記面取り部を介して）連続する部分である、前記内側ホイール素子１５ａの軸方向片側面の径方向外端部（前記第一環状凹部２２よりも径方向外側に位置する部分）、及び、前記内側ホイール素子１５ａの軸方向他側面の径方向外端部（前記第二環状凹部３８よりも径方向外側に位置する部分）は、それぞれ前記内側ホイール素子１５ａの中心軸に対して直交する円輪状の平面部２５ａ、２５ｂになっている。
【００３１】
別な言い方をすれば、前記内側ホイール素子１５ａは、互いに同心に配置された内径側環状部２８及び外径側環状部２９と、これら内径側環状部２８の外周面と外径側環状部２９の内周面との軸方向中間部同士を連結する円輪状の連結部３０とを備えている。そして、前記外径側環状部２９の外周面が円筒面部２４になっており、この外径側環状部２９の軸方向両側面が平面部２５ａ、２５ｂになっており、前記内径側環状部２８の外周面の軸方向片端部と前記外径側環状部２９の内周面の軸方向片端部と前記連結部３０の軸方向片側面とにより三方を囲まれた部分が第一環状凹部２２になっており、前記内径側環状部２８の外周面の軸方向他端部と前記外径側環状部２９の内周面の軸方向他端部と前記連結部３０の軸方向他側面とにより三方を囲まれた部分が第二環状凹部３８になっている。又、前記外径側環状部２９の内周面のうち、軸方向片端部が凹凸部２３になっており、軸方向他端部が外径側傾斜面部３９及び外径側円筒面部４０になっている。又、前記内径側環状部２８の外周面のうち、軸方向片端部が円筒面部３６になっており、軸方向他端部が内径側傾斜面部４１になっている。
【００３２】
尚、前記内側ホイール素子１５ａを構成する金属としては、鉄鋼等の鉄合金の他、銅合金、アルミニウム合金、マグネシウム合金等の各種の金属を採用する事ができる。又、前記内側ホイール素子１５ａを成形する為の加工としては、各種の切削加工や塑性加工を採用する事ができる。但し、歩留まり良く低コストに成形するには、塑性加工（鍛造、プレス、フローフォーミング等）を採用するのが好ましい。
【００３３】
一方、前記外側ホイール素子１６ａは、合成樹脂を射出成形する事により造られたもので、この射出成形に伴って（インサート成形により）、前記内側ホイール素子１５ａの一部分を、全周に亙り包埋している。具体的には、前記外側ホイール素子１６ａは、前記内側ホイール素子１５ａの表面のうち、前記第一環状凹部２２の内面を構成する内径側周面（前記円筒面部３６）から、前記内側ホイール素子１６ａの外周面（前記円筒面部２４）を経て、前記第二環状凹部３８の内面を構成する内径側周面（前記内径側傾斜面部４１）に至るまでの連続した範囲を全周に亙り覆う様に、前記内側ホイール素子１５ａの一部分（径方向外端部及び中間部）を包埋している。この状態で、前記合成樹脂の一部は、前記第一環状凹部２２と前記第二環状凹部３８とのそれぞれに入り込んで、このうちの第一環状凹部２２に入り込んだ部分が円環状の第一抑え部３１を構成すると共に、前記第二環状凹部３８に入り込んだ部分が円環状の第二抑え部４２を構成している。又、この状態で、前記第一抑え部３１を構成する合成樹脂の一部は、前記凹凸部２３を構成する複数の凹部２６、２６（円周方向に隣り合う凸部２７、２７同士の間部分）の全体に入り込んで、前記凹凸部２３の表面全体を覆う事により、この凹凸部２３と係合する（この凹凸部２３と合致する形状を有する）、回転保持部３２を構成している。又、前記第一抑え部３１の肉厚（前記複数の凹部２６、２６に入り込んだ部分の肉厚を除く）は、全体的にほぼ等しくなっており、前記第二抑え部４２の肉厚も、全体的にほぼ等しくなっている。又、前記外側ホイール素子１６ａの軸方向他側面のうち、前記第二環状凹部３８の径方向内端部と同じ径方向位置に、全周に亙り、この第二環状凹部３８の内側（前記第二抑え部４２の軸方向他側面）から軸方向他側に張り出す状態で、張出部４３が設けられている。
【００３４】
又、前記外側ホイール素子１６ａの外周面には、ウォームホイール歯部１９ａが形成されている。図３の上半部に示す様に、このウォームホイール歯部１９ａを構成する複数の歯の形成方向は、前記ウォームホイール４ａの軸方向に対して傾斜している。又、本例の場合、このウォームホイール歯部１９ａの歯先円の直径及び歯底円の直径は、それぞれ軸方向に関して変化していない。
【００３５】
本例の場合、前記外側ホイール素子１６ａを射出成形により造るのと同時に、この外側ホイール素子１６ａを前記内側ホイール素子１５ａに対して結合する、インサート成形を実施する際には、図６に示す様に、前記内側ホイール素子１５ａを複数の金型を組み合わせて成る金型装置４４にセットした状態で、これら内側ホイール素子１５ａと金型装置４４との間に画成される円環状のキャビティ４５内に、前記内側ホイール素子１５ａの軸方向他側面側に設けられた、ランナー４６及びディスクゲート４７から、溶融樹脂を送り込む。このうちのディスクゲート４７の径方向外端部（外周部）は、前記キャビティ４５のうち、前記外側ホイール素子１６ａの軸方向他側の径方向内端部（前記張出部４３）が形成される部分に位置しており、又、前記ランナー４６は、前記ディスクゲート４７の中心部から軸方向他側に伸長する状態で設けられている。この様なランナー４６及びディスクゲート４７から前記キャビティ４５内に送り込まれた溶融樹脂は、前記内側ホイール素子１５ａの軸方向他側面に沿って内径側から外径側に流れ、その一部が前記第二環状凹部３８内に入り込む。この際に、本例の場合には、この第二環状凹部３８の内面を構成する内径側周面及び外径側周面に、前記内径側傾斜面部４１及び前記外径側傾斜面部３９を設けている為、溶融樹脂は、流れを大きく乱す事なく、前記キャビティ４５のうちで前記外側ホイール素子１６ａの径方向外端部が形成される部分に入り込む。又、前記キャビティ４５内に送り込まれた溶融樹脂は、前記第一抑え部３１に対応する部分に達して停止する。当該部分で、他の方向から流れてきた溶融樹脂と突き当たる事はない。この結果、射出成形により得られる前記外側ホイール素子１６ａに、強度的に弱い、ウェルド等が生じる事を防止できる。前記キャビティ４５内で冷却及び固化された合成樹脂は、金型装置４４を開いて、複数の金型同士を分離してから、前記外側ホイール素子１６ａの軸方向他側の径方向内端部に対応する部分で全周に亙って切断し、必要に応じて仕上げ加工を施す事により、前記ウォームホイール４ａが得られる。尚、この際に、本例の場合には、前記ディスクゲート４７の径方向外端部に位置する合成樹脂の一部（本来切除すべき部分）を切除せずに残す事で、前記張出部４３を形成する。これにより、歩留まりを良くし、この張出部４３を低コストで形成できる様にしている。
【００３６】
尚、前記外側ホイール素子１６ａを構成する合成樹脂としては、ポリアミド６６（ＰＡ６６）の他、ポリアミド４６（ＰＡ４６）、ポリアミド９Ｔ（ＰＡ９Ｔ）、ポリフェニレンサルファイド（ＰＰＳ）、ポリエチレンテレフタレート（ＰＥＴ）、ポリアセタール（ＰＯＭ）等の各種の合成樹脂を採用する事ができる。又、これらの合成樹脂には、必要に応じて、ガラス繊維、ポリエチレン繊維、カーボン繊維、アラミド繊維等の各種の強化繊維を混入する事ができる。
【００３７】
本例の電動式パワーステアリング装置を組み立てた状態で、前記外側ホイール素子１６ａの軸方向他側面は、前記ウォームホイール４ａの軸方向他側に隣り合う部分に設置された、前記転がり軸受８ａを構成する内輪３３ａの軸方向片側面と外輪３４ａの軸方向片側面とに対し、それぞれ隙間を介して軸方向に対向している。具体的には、前記外側ホイール素子１６ａの軸方向他側面のうち、前記張出部４３に対応する部分が、前記内輪３３ａの軸方向片側面と軸方向に対向し、前記第二抑え部４２の径方向中間部に対応する部分が、前記外輪３４ａの軸方向片側面と軸方向に対向している。ここで、本例の場合、前記内輪３３ａの軸方向片側面と前記外輪３４ａの軸方向片側面とは、軸方向に関してほぼ同位置に存在しているのに対し、前記外側ホイール素子１６ａの軸方向他側面のうち、前記張出部４３に対応する部分（この張出部４３の軸方向他側面）は、前記第二抑え部４２の径方向中間部に対応する部分（この第二抑え部４２の径方向中間部の軸方向他側面）よりも、（少なくとも前記張出部４３の軸方向寸法分だけ、）軸方向他側に位置している。この為、前記外側ホイール素子１６ａの軸方向他側面（前記張出部４３の軸方向他側面）と前記内輪３３ａの軸方向片側面との間の軸方向距離Ｘは、前記外側ホイール素子１６ａの軸方向他側面（前記第二抑え部４２の径方向中間部の軸方向他側面）と前記外輪３４ａの軸方向片側面との間の軸方向距離Ｙよりも小さくなっている（Ｘ＜Ｙ）。
【００３８】
上述の様に構成する本例のウォームホイール４ａ及びウォーム減速機によれば、金属製の内側ホイール素子１５ａに対する合成樹脂製の外側ホイール素子１６ａの保持力を確保しつつ、この外側ホイール素子１６ａの外周面に設けられるウォームホイール歯部１９ａの製造誤差を抑えられる。この点に就いて、以下に説明する。
【００３９】
前記ウォームホイール４ａを通じて前記出力軸７に補助トルクを付与する際には、前記ウォームホイール４ａのウォームホイール歯部１９ａと前記ウォーム軸７のウォーム歯部１８との噛合部に作用する噛み合い反力の軸方向成分に基づいて、前記ウォームホイール４ａに対し、図２に矢印で示す様に、倒れ方向のモーメントＭが加わる。
これに対して、本例の場合、前記内側ホイール素子１５ａの軸方向両側面には、それぞれ全周に亙り、第一環状凹部２２及び第二環状凹部３８が設けられている。そして、前記外側ホイール素子１６ａは、前記内側ホイール素子１５ａの表面のうち、前記第一環状凹部２２の内面を構成する内径側周面（前記円筒面部３６）から、前記内側ホイール素子１６ａの外周面（前記円筒面部２４）を経て、前記第二環状凹部３８の内面を構成する内径側周面（前記内径側傾斜面部４１）に至るまでの連続した範囲を全周に亙り覆う様に、前記内側ホイール素子１５ａの一部分を包埋している。即ち、本例の場合には、前記外側ホイール素子１６ａが、前記内側ホイール素子１５ａのうち、径方向外端部だけでなく、径方向中間部をも包埋している。この為、径方向外端部のみを包埋している場合に比べて、前記内側ホイール素子１５ａに対する前記外側ホイール素子１６ａの前記モーメントＭ方向の保持力を大きくできる。
又、本例の場合には、前記外側ホイール素子１６ａを構成する合成樹脂の一部が、前記第一環状凹部２２に入り込んで円環状の第一抑え部３１を構成すると共に、前記第二環状凹部３８に入り込んで円環状の第二抑え部４２を構成している。この為、前記第一環状凹部２２と前記第一抑え部３１との係合、及び、前記第二環状凹部３８と前記第二抑え部４２との係合に基づいて、前記内側ホイール素子１５ａに対する前記外側ホイール素子１６ａの前記モーメントＭ方向の保持力を大きくできる。
更に、本例の場合には、前記第二環状凹部３８の内面を構成する外径側周面の軸方向他端部に、外径側円筒面部４０が設けられている。この為、当該外径側周面の全体が前記外径側傾斜面部３９になっている（前記外径側円筒面部４０が設けられていない）場合に比べて、前記モーメントＭに対する、前記第二環状凹部３８と前記第二抑え部４２との係合力を大きくできる。この結果、前記内側ホイール素子１５ａに対する前記外側ホイール素子１６ａの前記モーメントＭ方向の保持力を大きくできる。
【００４０】
又、本例の場合には、前記第一環状凹部２２の内面を構成する外径側周面に円周方向に関する凹凸部２３が設けられていると共に、前記第一抑え部３１を構成する合成樹脂の一部が、前記凹凸部２３を構成する複数の凹部２６、２６の全体に入り込んで、前記凹凸部２３の表面全体を覆う事により、この凹凸部２３と係合する（この凹凸部２３と合致する形状を有する）、回転保持部３２を構成している。この為、本例の場合には、前記内側ホイール素子１５ａに対する前記外側ホイール素子１６ａの回転方向の保持力を確保できる。特に、本例の場合には、前記凹凸部２３が、前記第一環状凹部２２の内面を構成する外径側周面の軸方向の全長に亙り設けられている為、当該回転方向の保持力を大きくできる。
【００４１】
又、本例の場合、前記内側ホイール素子１５ａの外周面は、軸方向に関して直径が変化しない円筒面部２４になっている。これと共に、前記外側ホイール素子１６ａの外周面に設けられたウォームホイール歯部１９ａの歯先円の直径及び歯底円の直径は、それぞれ軸方向に関して変化していない。この為、前記外側ホイール素子１６ａのうち、前記内側ホイール素子１５ａの外周面である円筒面部２４に対して径方向外側に重畳する部分の径方向の肉厚は、前記ウォームホイール歯部１９ａを構成する複数の歯２０ａ、２０ａが位置する部分で、互いにほぼ（実質的に）等しくなっている。
更に、本例の場合には、前記内側ホイール素子１５ａの外周面である円筒面部２４の軸方向両端縁に対して連続する部分である、前記内側ホイール素子１５ａの軸方向両側面の径方向外端部は、それぞれ前記内側ホイール素子１５ａの中心軸に対して直交する円輪状の平面部２５ａ、２５ｂになっている。換言すれば、前記内側ホイール素子１５ａの外周面である円筒面部２４の軸方向両端縁は、それぞれ円周方向に関して軸方向位置が変化しない円形状になっている。
この為、本例の場合には、前記外側ホイール素子１６ａのうち、前記内側ホイール素子１５ａの外周面に対して径方向外側に重畳する部分の径方向の肉厚は、軸方向両端縁部を含めた軸方向の全長に亙り、前記ウォームホイール歯部１９ａを構成する複数の歯２０ａ、２０ａが位置する部分で、互いにほぼ等しくなっている。従って、本例の場合には、図５に示す様に、前記複数の歯２０ａ、２０ａが位置する部分の射出成形時の成形収縮量を互いにほぼ等しくする事ができる。この結果、成形後の前記複数の歯２０ａ、２０ａの大きさ（径方向の厚さ）をほぼ等しくする事ができ、この事に起因して、前記ウォームホイール歯部１９ａに関するピッチ誤差等の製造誤差を抑えられる。
【００４２】
又、本例の場合には、前記凹凸部２３を構成する複数ずつの凹部２６及び凸部２７は、軸方向に対して平行に形成されている。この為、前記凹凸部２３が存在する事によって生じる、合成樹脂の成形収縮に伴う前記外側ホイール素子１６ａの変形を抑えられ、この外側ホイール素子１６ａを精度良く成形する事ができる。
【００４３】
又、本例の場合には、前記外側ホイール素子１６ａの軸方向他側面（前記張出部４３の軸方向他側面）と前記内輪３３ａの軸方向片側面との間の軸方向距離Ｘが、前記外側ホイール素子１６ａの軸方向他側面（前記第二抑え部４２の径方向中間部の軸方向他側面）と前記外輪３４ａの軸方向片側面との間の軸方向距離Ｙよりも小さくなっている（Ｘ＜Ｙ）。この為、例えば、万が一、前記ハウジング３に対する前記出力軸７の軸方向位置を規制する部位が破損し、この出力軸７と共に前記ウォームホイール４ａが軸方向他側に変位したとしても、前記外側ホイール素子１６ａの軸方向他側面は、前記内輪３３ａの軸方向片側面及び前記外輪３４ａの軸方向片側面のうち、前記内輪３３ａの軸方向片側面のみと（前記張出部４３の軸方向他側面が）接触し、前記外輪３４ａの軸方向片側面には（前記第二抑え部４２の径方向中間部の軸方向他側面が）接触しない為、前記ウォームホイール４ａの回転がロックされる事を防止できる。
【００４４】
［実施の形態の第２例］
本発明の実施の形態の第２例に就いて、図７により説明する。
本例の場合には、ウォームホイール４ｂを構成する内側ホイール素子１５ｂの軸方向他側面に設けられた第二環状凹部３８ａの構成が、上述した実施の形態の第１例の場合と異なる。本例の場合、この第二環状凹部３８ａの内面を構成する内径側周面は、軸方向片側（片半部）に設けられた、特許請求の範囲に記載した非傾斜面部に対応する内径側円筒面部４８と、軸方向他側（他半部）に設けられた内径側傾斜面部４１との、互いの軸方向端縁同士を連続させて成る。
この様な構成を有する本例の場合には、前記第二環状凹部３８ａの内面を構成する内径側周面の軸方向片半部に、内径側円筒面部４８が設けられている為、当該内径側周面の全体が前記内径側傾斜面部４１になっている（前記内径側円筒面部４８が設けられていない）場合に比べて、モーメントＭに対する、前記第二環状凹部３８ａと、外側ホイール素子１６ｂを構成する第二抑え部４２ａとの係合力を大きくできる。この結果、前記内側ホイール素子１５ｂに対する前記外側ホイール素子１６ｂの前記モーメントＭ方向の保持力を大きくできる。
その他の構成及び作用は、上述した実施の形態の第１例の場合と同様である。
【００４５】
［実施の形態の第３例］
本発明の実施の形態の第３例に就いて、図８により説明する。
本例の場合には、ウォームホイール４ｃを構成する内側ホイール素子１５ｃの軸方向他側面に設けられた第二環状凹部３８ｂの構成が、上述した実施の形態の第１例の場合と異なる。本例の場合、この第二環状凹部３８ｂの内面を構成する内径側周面は、軸方向片側（片半部）に設けられた内径側傾斜面部４１と、軸方向他側（他半部）に設けられた、特許請求の範囲に記載した非傾斜面部に対応する内径側円筒面部４８ａとを、軸方向他側を向いた円輪状の段差面４９により連続させて成る。
この様な構成を有する本例の場合には、前記第二環状凹部３８ｂの内面を構成する内径側周面の軸方向他半部に、内径側円筒面部４８ａが設けられている為、当該内径側周面の全体が前記内径側傾斜面部４１になっている（前記内径側円筒面部４８ａが設けられていない）場合に比べて、モーメントＭに対する、前記第二環状凹部３８ｂと、外側ホイール素子１６ｃを構成する第二抑え部４２ｂとの係合力を大きくできる。この結果、前記内側ホイール素子１５ｃに対する前記外側ホイール素子１６ｃの前記モーメントＭ方向の保持力を大きくできる。
その他の構成及び作用は、上述した実施の形態の第１例の場合と同様である。
【００４６】
［実施の形態の第４例］
本発明の実施の形態の第４例に就いて、図９により説明する。
本例の場合には、ウォームホイール４ｄを構成する内側ホイール素子１５ｄの軸方向片側面に設けられた第一環状凹部２２ａの構成が、上述した実施の形態の第１例の場合と異なる。本例の場合、この第一環状凹部２２ａの内面のうち、外径側周面に設けられた凹凸部２３ａを構成する複数ずつの凹部２６ａ及び凸部２７ａは、前記ウォームホイール４ｄの中心軸に対し、外側ホイール素子１６ｄの外周面に設けられたウォームホイール歯部１９ａを構成する複数の歯２０ａ、２０ａの傾斜方向と逆方向に傾斜した状態で形成されている。
この様に本例の場合には、前記ウォームホイール４ｄの中心軸に対する、前記ウォームホイール歯部１９ａを構成する複数の歯２０ａ、２０ａの傾斜方向と、前記凹凸部２３ａを構成する複数ずつの凹部２６ａ及び凸部２７ａの傾斜方向とを、互いに逆方向とする事により、ウォーム軸６（図１１参照）から前記ウォームホイール４ｄにトルクを伝達する際に、前記凹凸部２３ａを構成する複数の凹部２６ａ、２６ａから前記外側ホイール素子１６ｄを構成する合成樹脂が軸方向片側に向けて抜け出ない方向に力が加わる様にしている。
その他の構成及び作用は、上述した実施の形態の第１例の場合と同様である。
【００４７】
尚、本発明を実施する場合には、上述した各実施の形態の構成を適宜組み合わせて実施する事ができる。
【００４８】
［実施の形態の変形例］
本発明の実施の形態の変形例に就いて、図１６により説明する。
上記実施の形態の第１例乃至第４例においては、外側ホイール素子１６ａ〜１６ｄは、内側ホイール素子１５ａ、１５ｂの外周面（前記円筒面部２４）から、第一環状凹部２２側においては、第一環状凹部２２の内面を構成する内径側周面（円筒面部３６）に至るまで連続しており、第二環状凹部３８〜３８ｂ側においては第二環状凹部３８〜３８ｂの内面を構成する内径側周面（前記内径側傾斜面部４１）に至るまで連続している。本例の場合には、外側ホイール素子１６ｂは、内側ホイール素子１５ｂの外周面（前記円筒面部２４）から、夫々第一環状凹部２２及び第二環状凹部３８ａの径方向の中間位置程度まで連続させている。外側ホイール素子１６ｂがこの様に夫々の環状凹部の中間位置程度までの連続であっても、凹凸部２３を有する第一環状凹部２２及び外径側円筒面部４０を有する第二環状凹部３８ａ存在する為、図１３に示す様な従来のウォームホイールよりも外側ホイール素子１６ｂと内側ホイール素子１５ｂとの結合強度を向上させることができる。
【産業上の利用可能性】
【００４９】
本発明のウォームホイール及びウォーム減速機は、電動式パワーステアリング装置に限らず、各種の機械装置に組み込んで使用する事ができる。
【符号の説明】
【００５０】
１  ステアリングホイール
２  ステアリングシャフト
３  ハウジング
４、４ａ〜４ｄ  ウォームホイール
５  電動モータ
６  ウォーム軸
７  出力軸
８ａ、８ｂ  転がり軸受
９  トーションバー
１０  トルクセンサ
１１ａ、１１ｂ  自在継手
１２  中間シャフト
１３  ステアリングギヤユニット
１４  ピニオン軸
１５、１５ａ〜１５ｄ  内側ホイール素子
１６、１６ａ〜１６ｄ  外側ホイール素子
１７  凹凸部
１８  ウォーム歯部
１９、１９ａ  ウォームホイール歯部
２０、２０ａ  歯
２１  嵌合孔
２２、２２ａ  第一環状凹部
２３、２３ａ  凹凸部
２４  円筒面部
２５ａ、２５ｂ  平面部
２６、２６ａ  凹部
２７、２７ａ  凸部
２８  内径側環状部
２９  外径側環状部
３０  連結部
３１、３１ａ  第一抑え部
３２  回転保持部
３３ａ、３３ｂ  内輪
３４ａ、３４ｂ  外輪
３５ａ、３５ｂ  玉
３６  円筒面部
３７ａ、３７ｂ  平面部
３８、３８ａ、３８ｂ  第二環状凹部
３９  外径側傾斜面部
４０  外径側円筒面部
４１  内径側傾斜面部
４２、４２ａ、４２ｂ、４２ｃ  第二抑え部
４３  張出部
４４  金型装置
４５  キャビティ
４６  ランナー
４７  ディスクゲート
４８、４８ａ  内径側円筒面部
４９  段差面
【図１】
2018204660.tif 000003
【図２】
2018204660.tif 000004
【図３】
2018204660.tif 000005
【図４】
2018204660.tif 000006
【図５】
2018204660.tif 000007
【図６】
2018204660.tif 000008
【図７】
2018204660.tif 000009
【図８】
2018204660.tif 000010
【図９】
2018204660.tif 000011
【図１０】
2018204660.tif 000012
【図１１】
2018204660.tif 000013
【図１２】
2018204660.tif 000014
【図１３】
2018204660.tif 000015
【図１４】
2018204660.tif 000016
【図１５】
2018204660.tif 000017
【図１６】
2018204660.tif 000018